(57)【要約】      （修正有）【課題】正確な在庫数を把握可能で且つ商品の情報表示を迅速に行うことの可能な商品管理システムを提供する。【解決手段】ショーケース２００には、商品棚２０１と、商品棚２０１の前端側に陳列された商品のＲＦＩＤタグと通信可能な小型アンテナと、商品棚２０１上の全商品のＲＦＩＤタグと通信可能な大型アンテナと、小型アンテナを介してＲＦＩＤタグと常に通信を行うとともに大型アンテナを介してＲＦＩＤタグと所定時間毎に通信を行って固有番号を読み出し、商品が商品棚２０１から取り出された際に、小型アンテナを介して読み出された固有番号のうち商品に対応する固有番号を検出するリーダライタとを備え、コンピュータ１００には、各アンテナを介して読み出されたＲＦＩＤタグの固有番号に基づき商品の在庫を管理する制御部を備えた。【選択図】図１
2009057182.tif 000002
【特許請求の範囲】
【請求項１】
ショーケースに陳列されている商品の在庫状況をコンピュータを用いて管理する商品管理システムにおいて、
前記ショーケースは、ＲＦＩＤタグが付された商品を陳列する商品棚と、商品棚の前端側に陳列された商品のＲＦＩＤタグと通信可能に設けられた第１のアンテナと、商品棚上の商品のうち少なくとも商品棚の後端側に陳列された商品のＲＦＩＤタグと通信可能に設けられた第２のアンテナと、第１のアンテナを介してＲＦＩＤタグと常に通信を行うとともに第２のアンテナを介してＲＦＩＤタグと所定時間毎に通信を行ってＲＦＩＤタグの識別情報を読み出し、商品が商品棚から取り出された際に、少なくとも第１のアンテナを介して読み出されているＲＦＩＤタグの識別情報のうち該商品のＲＦＩＤタグの識別情報を検出する検出手段とを備え、
前記コンピュータは、第１及び第２のアンテナのうち少なくとも一方のアンテナを介して読み出されたＲＦＩＤタグの識別情報に基づき商品の在庫を管理する在庫管理手段を備えた
ことを特徴とする商品管理システム。
【請求項２】
前記商品棚を、前方に向かって下方に傾斜するように形成した
ことを特徴とする請求項１記載の商品管理システム。
【請求項３】
前記第１のアンテナを、それぞれ一または複数のＲＦＩＤタグと通信可能に複数設けた
ことを特徴とする請求項１または２記載の商品管理システム。
【請求項４】
前記ショーケースは、所定範囲内の人体の有無を検知する人体検知手段を備え、
前記検出手段は、人体検知手段によって人体が検知されると、第１のアンテナを介してＲＦＩＤタグと常に通信を行いＲＦＩＤタグの識別情報を読み出す
ことを特徴とする請求項１乃至３何れか１項記載の商品管理システム。
【請求項５】
前記ショーケースは、商品棚の前端側に商品が存在するか否かを検知する商品検知手段を備え、
前記検出手段は、商品検知手段によって商品が検知されると、第１のアンテナを介してＲＦＩＤタグと常に通信を行いＲＦＩＤタグの識別情報を読み出す
ことを特徴とする請求項１乃至３何れか１項記載の商品管理システム。
【発明の詳細な説明】
【技術分野】
【０００１】
本発明は、例えばスーパーマーケット等の店舗においてショーケースに陳列された商品をコンピュータを用いて管理する商品管理システムに関する。
【背景技術】
【０００２】
従来、この種の商品管理システムとして、商品棚上の商品に付されたＲＦＩＤタグと通信を行うためのアンテナを商品棚に設け、該アンテナを介してＲＦＩＤタグの識別情報を読み出すことにより商品管理を行うものが知られている（例えば特許文献１参照）。
【０００３】
このような商品管理システムでは、ＲＦＩＤタグの識別情報が、所定時間毎にアンテナを介して読み出され、該識別情報と、所定の記憶部に予め記憶された識別情報とを照合することにより該商品の在庫管理を行うようになっている。
【特許文献１】特開２００２−６００２１号公報
【発明の開示】
【発明が解決しようとする課題】
【０００４】
ところで、最近では、店舗で販売される商品に対する利用者の購買意欲を向上させるために、商品棚に陳列された商品が取り出されたときに該商品に関する情報を所定の表示装置に表示させるという商品管理システムが提案されている。この商品管理システムでは、商品棚から取り出された商品のＲＦＩＤタグに記憶された識別情報に基づき、該識別情報に対応する商品情報を表示装置に表示させるようになっている。
【０００５】
しかし、従来の商品管理システムでは、所定時間毎にＲＦＩＤタグと通信を行っていることから、商品が取り出されたタイミングでＲＦＩＤタグと通信を行うことができない。従って、商品が商品棚から取り出されたときに該商品に付されたＲＦＩＤタグの識別情報を取得することができないので、該商品の商品情報を迅速に表示することができないという問題点があった。
【０００６】
本発明は、上記事情に鑑みてなされたものであり、その目的とするところは、正確な在庫数を把握可能で且つ商品の情報表示を迅速に行うことの可能な商品管理システムを提供することにある。
【課題を解決するための手段】
【０００７】
本発明は、前記目的を達成するために、ショーケースに陳列されている商品の在庫状況をコンピュータを用いて管理する商品管理システムにおいて、前記ショーケースは、ＲＦＩＤタグが付された商品を陳列する商品棚と、商品棚の前端側に陳列された商品のＲＦＩＤタグと通信可能に設けられた第１のアンテナと、商品棚上の商品のうち少なくとも商品棚の後端側に陳列された商品のＲＦＩＤタグと通信可能に設けられた第２のアンテナと、第１のアンテナを介してＲＦＩＤタグと常に通信を行うとともに第２のアンテナを介してＲＦＩＤタグと所定時間毎に通信を行ってＲＦＩＤタグの識別情報を読み出し、商品が商品棚から取り出された際に、少なくとも第１のアンテナを介して読み出されているＲＦＩＤタグの識別情報のうち該商品のＲＦＩＤタグの識別情報を検出する検出手段とを備え、前記コンピュータは、第１及び第２のアンテナのうち少なくとも一方のアンテナを介して読み出されたＲＦＩＤタグの識別情報に基づき商品の在庫を管理する在庫管理手段を備えている。
【０００８】
これにより、商品棚の前端側に陳列された商品のＲＦＩＤタグの識別情報が第１のアンテナを介して常に読み出され、商品が商品棚から取り出された際に、少なくとも第１のアンテナを介して読み出されているＲＦＩＤタグの識別情報のうち該商品のＲＦＩＤタグの識別情報が検出されるので、商品が商品棚から取り出されたときに該商品に付されたＲＦＩＤタグの識別情報に基づき該商品の商品情報を表示することが可能となる。
【０００９】
また、商品棚上の商品のうち少なくとも商品棚の後端側に陳列された商品のＲＦＩＤタグの識別情報が第２のアンテナを介して所定時間毎に読み出され、第１及び第２のアンテナのうち少なくとも一方のアンテナを介して読み出されたＲＦＩＤタグの識別情報に基づき商品の在庫が管理されるので、商品棚上の商品の在庫数をＲＦＩＤタグの識別情報に基づき把握することが可能となる。
【発明の効果】
【００１０】
本発明によれば、商品が商品棚から取り出されたときに該商品に付されたＲＦＩＤタグの識別情報に基づき該商品の商品情報を表示することができるので、該商品の商品情報を迅速に表示することができ、利便性を向上させることができるとともに利用者の購買意欲を向上させることができる。また、商品棚上の商品の在庫数をＲＦＩＤタグの識別情報に基づき把握することができるので、商品の在庫管理を正確且つ容易に行うことができ、商品の在庫管理に係る運用コストを低減させることができる。
【発明を実施するための最良の形態】
【００１１】
本発明の一実施形態に係る商品管理システムについて図面を参照して説明する。本実施形態の商品管理システムでは、例えば紙パックやペットボトル入りの飲料等の商品を販売する店舗において、ショーケースに陳列された商品の在庫状況をコンピュータを用いて管理するようになっている。また、この商品管理システムでは、ショーケースの商品棚から商品が取り出されると、該商品の商品情報がショーケースに設けられた表示装置に表示されるようになっている。
【００１２】
図１に商品管理システムの全体構成図を示す。この商品管理システムは、図１に示すように、店舗に設けた店舗コンピュータ１００により商品１０の在庫状況や賞味期限を管理する。商品１０にはＲＦＩＤタグ１１が貼付されており、ＲＦＩＤタグ１１には、ＲＦＩＤタグ１１の識別情報としての固有番号が予め記憶されている。
【００１３】
この商品管理システムでは、店舗内に無線ＬＡＮ９００が構築されている。該無線ＬＡＮ９００には、前記店舗コンピュータ１００のほか、商品１０を冷却した状態で陳列するショーケース２００が接続されている。
【００１４】
まず、ショーケース２００について説明する。ショーケース２００は、図１に示すように、商品１０を陳列するための複数段の商品棚２０１と、商品１０を冷却するための冷却機構とを備えている。冷却機構については従来周知のものと同様なのでここでは説明を省略する。各商品棚２０１は、前方に向かって下方に傾斜するように形成されており、商品棚２０１上に陳列された商品１０が従来周知のローラースライダー機構によって傾斜面に沿って前方に移動可能になっている。また、各商品棚２０１の前端側には、図２に示すように、それぞれ商品棚２０１の前端側に陳列されている商品１０のＲＦＩＤタグ１１と通信する第１のアンテナとしての複数の小型ループアンテナ２１０が幅方向に並ぶように設けられている。ここで、各小型ループアンテナ２１０は、それぞれ一つの商品１０のＲＦＩＤタグ１１と通信可能な大きさに形成されている。さらに、各小型アンテナ２１０の下方には、図３に示すように、商品棚２０１の後端側に陳列された商品１０のＲＦＩＤタグ１１と通信可能な第２のアンテナとしての大型ループアンテナ２１１が一つ設けられている。なお、各小型ループアンテナ２１０を複数の商品１０のＲＦＩＤタグ１１と通信可能に設けてもよい。また、大型ループアンテナ２１１を、商品棚２０１上の全商品１０のＲＦＩＤタグ１１と通信可能に設けてもよい。
【００１５】
図４にショーケース２００の機能ブロック図を示す。なお、図４は説明の簡略化のため商品管理システムに関するもののみを記載し、冷却機構など他の構成要素は省略した。このショーケース２００は、図４に示すように、各商品棚２０１毎に設けた検出手段としての複数のリーダライタ２２０と、各リーダライタ２２０と店舗コンピュータ１００との間に介在し各リーダライタ２２０を集中制御する集中制御装置２３０と、商品情報を表示する表示装置２４０と、所定範囲内（例えばショーケース２００から１メートル以内）の人体の有無を検知する人体検知手段としての人感センサ２５０とを備えている。
【００１６】
各リーダライタ２２０には、それぞれ対応する商品棚２０１に設けた各小型ループアンテナ２１０及び大型ループアンテナ２１１が接続されている。また、各リーダライタ２２０は、商品１０のＲＦＩＤタグ１１と各ループアンテナ２１０，２１１を介して非接触通信を行うためのＲＦ回路部２２１と、リーダライタ２２０全体を制御する制御部２２２と、ＲＦＩＤタグ１１の固有番号を一時記憶するためのリーダライタ記憶部２２３（以下、ＲＷ記憶部２２３と称する。）と、集中制御装置２３０に接続するための通信インタフェイス２２４とを備えている。
【００１７】
ＲＦ回路部２２１は、周知のＡＤ／ＤＡ変換器、整流回路及びインピーダンス整合回路等から構成されており、制御部２２２からデジタル信号を受信すると、該デジタル信号をアナログ信号に変換して各ループアンテナ２１０，２１１に送信し、各ループアンテナ２１０，２１１からアナログ信号を受信すると、該アナログ信号をデジタル信号に変換して制御部２２２に送信する。
【００１８】
制御部２２２は、集中制御装置２３０から情報表示用タグ検出要求を受信すると、各小型ループアンテナ２１０を用いて商品棚２０１の前端側に陳列された商品１０のＲＦＩＤタグ１１の固有番号を順次取得する。そして、制御部２２２は、図５に示すように取得した固有番号からなる商品リスト２２３ａをＲＷ記憶部２２３に記憶した後に、集中制御装置２３０からタグ検出停止要求を受信するまで各小型ループアンテナ２１０を用いた固有番号の取得を繰り返し、商品リスト２２３ａの更新を行う。この場合、制御部２２２は、商品棚２０１の前端側に陳列された商品１０が取り出され、該商品１０の後方に載置された商品１０が前方に移動することにより、商品リスト２２３ａに存在しない新たな固有番号を取得すると、商品リスト２２３ａ内の固有番号のうち再度取得されなくなった固有番号を、商品棚２０１から取り出された商品１０に付されたＲＦＩＤタグ１１の固有番号として検出する。そして、制御部２２２は、検出した固有番号を、通信インタフェイス２２４を介して集中制御装置２３０に送信する。
【００１９】
また、制御部２２２は、集中制御装置２３０から在庫管理用タグ検出要求を受信すると、各小型ループアンテナ２１０及び大型ループアンテナ２１１を用いて商品２０１上の全商品１０のＲＦＩＤタグ１１の固有番号を順次取得する。そして、制御部２２２は、取得したＲＦＩＤタグ１１の固有番号を、通信インタフェイス２２４を介して集中制御装置２３０に送信する。
【００２０】
集中制御装置２３０は、各リーダライタ２２０から受信したＲＦＩＤタグ１１の固有番号を集計して店舗コンピュータ１００に送信する制御部２３１と、該制御部２３１において集計された固有番号及び固有番号に対応する商品１０の商品情報を記憶する記憶部２３２と、各リーダライタ２２０と接続するための通信インタフェイス２３３と、無線ＬＡＮ９００と接続するための通信インタフェイス２３４とを備えている。なお、記憶部２３２に記憶される商品１０の商品情報は、商品１０の動画広告や、賞味期限及び価格を表す文字情報等から構成されている。
【００２１】
制御部２３１は、人感センサ２５０から検知信号を受信すると、接続する各リーダライタ２２０に対して情報表示用タグ検出要求を送信し、リーダライタ２２０からＲＦＩＤタグ１１の固有番号を受信すると、該固有番号に対応する商品１０の商品情報を記憶部２３２から取得して表示装置２４０に表示させる。また、制御部２３１は、人感センサ２５０からの検知信号がオフになったときには、各リーダライタ２２０に対してタグ検出停止要求を送信する。さらに、制御部２３１は、所定時間（例えば１時間）経過毎に、接続する各リーダライタ２２０に対して在庫管理用タグ検出要求を送信し、各リーダライタ２２０からＲＦＩＤタグ１１の固有番号を受信すると、図６に示すように、送信元のリーダライタ２２０が設置されている商品棚２０１を識別する棚番号とＲＦＩＤタグ１１の商品情報（図では固有番号を「ＵＩＤ」と表示している。）とからなる在庫リスト２３２ａを生成する。そして、制御部２３１は、在庫リスト２３２ａ及び固有番号の検出日時を通信インタフェイス２３４及び無線ＬＡＮ９００を介して店舗コンピュータ１００に送信する。また、制御部２３１は、最初に生成した在庫リスト２３２ａを記憶部２３２に記憶し、在庫リスト２３２ａを生成する毎に記憶部２３２の在庫リスト２３２ａの内容を更新する。
【００２２】
表示装置２４０は周知の液晶ディスプレイであり、ショーケース２００の前面側に設けられている。人感センサ２５０は、所定の商品棚２０１の前端に設けられており、所定範囲内（例えばショーケース２００から１メートル以内）に接近した人体を検知しているときには、所定の検知信号を集中制御装置２３０に送信する。
【００２３】
次に、店舗コンピュータ１００について図７を参照して説明する。図７は店舗コンピュータ１００の機能ブロック図である。店舗コンピュータ１００は、図７に示すように、店舗コンピュータ１００全体を制御する制御部１１０と、種々の情報を記憶するリレーショナル型のデータベース１２０と、無線ＬＡＮ９００に接続するための通信インタフェイス１３０とを備えている。
【００２４】
制御部１１０は、ショーケース２００から送信された在庫リスト２３２ａ及び固有番号の検出日時を通信インタフェイス１３０を介して受信すると、データベース１２０の各種情報の読取・更新処理を行う。この場合、在庫リスト２３２ａ及び固有番号の検出日時が所定時間毎にショーケース２００から送信されることから、制御部１１０は、商品情報の経時的検出状況に基づき商品１０の在庫状況を判別することが可能となる。なお、制御部１１０の詳細な動作については後述する。
【００２５】
データベース１２０に記憶されているデータについて説明する。データベース１２０には、図８に示す商品管理情報１２１、図９に示す棚在庫情報１２２が記憶されている。
【００２６】
商品管理情報１２１は、図８に示すように、ＲＦＩＤタグ１１の固有情報と、該固有情報に対応する商品１０のＪＡＮコードと、該固有情報に対応する商品１０の賞味期限と、当該商品１０の販売価格とを記録している。本実施形態では、期限情報として商品１０の賞味期限を用いているが、商品１０の消費期限または販売期限等を用いてもよい。また、商品１０の商品名も商品管理情報１２１に記録するようにしてもよい。この商品管理情報１２１は、ショーケース２００から在庫リスト２３２ａが送信されたときに更新されるようになっている。
【００２７】
棚在庫情報１２２は、各商品棚２０１上の商品１０の在庫状況を記憶したものであり、図９に示すように、ＲＦＩＤタグ１１の固有番号と、固有番号を初めて取得した日時（初回検知日時）と、固有番号を取得した最新の日時（最新検知日時）とを記憶している。これらの情報は、在庫リスト２３２ａ及び固有番号の検出日時に基づき更新されるようになっている。具体的に説明すると、商品１０が商品棚２０１に陳列されている場合、即ち商品１０に付されたＲＦＩＤタグ１１の固有番号が在庫リスト２３２ａに含まれている場合には、在庫リスト２３２ａとともに送信された該固有番号の検出日時が最新検知日時として更新される。また、商品１０のＲＦＩＤタグ１１とリーダライタ２２０との間の通信が不能となった場合、例えば商品１０が商品棚２０１から取り出された場合には、ＲＦＩＤタグ１１の固有番号が在庫リスト２３２ａに含まれなくなることから、該固有番号の最新検知日時が更新されなくなる。なお、商品棚２０１から一旦取り出された商品１０が商品棚２０１に戻されると、該商品１０に付されたＲＦＩＤタグ１１の固有番号がリーダライタ２２０によって検出可能になることから、該固有番号の最新検知日時が再び更新されるようになる。
【００２８】
以上のように構成された商品管理システムでは、集中制御装置２３０の制御部２３１が、商品棚２０１から取り出された商品１０の商品情報を表示装置２４０に表示させるようになっており、店舗コンピュータ１００の制御部１１０が、商品棚２０１上の商品１０に付されたＲＦＩＤタグ１１の固有番号に基づき該商品１０の在庫状況や賞味期限を管理するようになっている。
【００２９】
ここで、商品１０の情報表示を行う場合及び在庫状況や賞味期限を管理する場合におけるショーケース２００及び店舗コンピュータ１００の動作を図１０及び図１１を参照して説明する。
【００３０】
まずショーケース２００の動作について説明する。まず、利用者がショーケース２００から所定範囲内に接近することにより、人感センサ２５０から検知信号が送信されると（図１０のステップＳ１）、集中制御装置２３０の制御部２３１は、各リーダライタ２２０に対して情報表示用タグ検出要求を送信する。各リーダライタ２２０の制御部２２２は、各小型ループアンテナ２１０を用いて商品棚２０１の前端側に陳列された商品１０のＲＦＩＤタグ１１の固有番号を順次取得することによりＲＦＩＤタグ１１の固有番号を検出する（図１０のステップＳ２）。次に、各リーダライタ２２０の制御部２２２は、未検出の固有番号、即ちＲＷ記憶部２２３に記憶された商品リスト２２３ａに存在しない新たな固有番号を取得すると（図１０のステップＳ３）、商品リスト２２３ａ内の固有番号のうち再度取得されなくなった固有番号を、通信インタフェイス２２４を介して集中制御装置２３０に送信する。一方、集中制御装置２３０の制御部２３１は、リーダライタ２２０からＲＦＩＤタグ１１の固有番号を受信すると、該固有番号に対応する商品１０の商品情報を記憶部２３２から取得して表示装置２４０に表示させる（図１０のステップＳ４）。
【００３１】
これにより、商品棚２０１の前端側に陳列された商品１０のＲＦＩＤタグ１１の固有番号が各小型ループアンテナ２１０を介して常に読み出され、商品１０が商品棚２０１から取り出された際に、少なくとも各小型ループアンテナ２１０を介して読み出されているＲＦＩＤタグ１１の固有番号のうち、商品棚２０１から取り出された商品１０のＲＦＩＤタグ１１の固有番号が検出される。従って、商品１０が商品棚２０１から取り出されたときに、該商品１０に付されたＲＦＩＤタグ１１の固有番号に基づき該商品１０の商品情報を迅速に表示することができる。
【００３２】
また、集中制御装置２３０の制御部２３１は、人感センサ２５０からの検知信号がオフの場合且つ所定時間（例えば１時間）経過毎に（図１０のステップＳ５）、各リーダライタ２２０に対して在庫管理用タグ検出要求を送信し、各リーダライタ２２０からＲＦＩＤタグ１１の固有番号を受信することにより、ＲＦＩＤタグ１１の固有番号を検出する（図１０のステップＳ６）。また、制御部２３１は、固有番号を検出した後に商品リスト２３２ａを生成し（図１０のステップＳ７）、商品情報の検出日時及び商品リスト２３２ａを、通信インタフェイス２３４及び無線ＬＡＮ９００を介して店舗コンピュータ１００に送信する（図１０のステップＳ８）。
【００３３】
一方、店舗コンピュータ１００の制御部１１０は、ショーケース２００から送信された固有番号の検出日時及び在庫リスト２３２ａを無線ＬＡＮ９００及び通信インタフェイス１３０を介して受信すると（図１１のステップＳ１１）、在庫リスト２３２ａ及び固有番号の検出時間を用いて商品管理情報１２１及び棚在庫情報１２２の更新処理を行う（図１１のステップＳ１２，Ｓ１３）。この場合、制御部１１０は、商品管理情報１２１及び棚在庫情報１２２に基づき商品１０の在庫管理及び賞味期限管理を行うことができる。商品１０の在庫管理について説明すると、制御部１１０は、棚在庫情報１２２をショーケース２００毎に集計することにより在庫数を算出し、該在庫数と所定の最低在庫数とを比較判定する。そして、在庫数が最低在庫数以下である場合には、制御部１１０は、所定の異常メッセージを通知する。メッセージの通知手段は種々のものが選択でき、例えば、店舗コンピュータ１００の画面上に表示するようにしてもよいし、管理者の携帯電話に携帯電話網を介してメールを送信するようにしてもよい。また、商品１０の賞味期限管理について説明すると、制御部１１０は、棚在庫情報１２２の最終検知日時が商品管理情報１２１内の賞味期限まで所定時間（例えば１時間）に迫った固有番号を抽出する。そして、制御部１１０は、該固有番号が抽出されると、上記と同様に異常メッセージを通知する。
【００３４】
これにより、商品棚２０１上の全商品１０に付されたＲＦＩＤタグ１１の固有番号がリーダライタ２２０により所定時間毎に読み出され、該ＲＦＩＤタグ１１の固有番号に基づき商品１０の在庫が管理されるので、商品棚２０１上の商品１０の在庫数をＲＦＩＤタグ１１の固有番号に基づき把握することが可能となる。
【００３５】
このように本実施形態に係る商品管理システムによれば、商品棚２０１の前端側に陳列された商品１０のＲＦＩＤタグ１１の固有番号が各小型ループアンテナ２１０を介して常に読み出され、商品１０が商品棚２０１から取り出された際に、少なくとも各小型ループアンテナ２１０を介して読み出されているＲＦＩＤタグ１１の固有番号のうち、商品棚２０１から取り出された商品１０のＲＦＩＤタグ１１の固有番号が検出されるので、商品１０が商品棚２０１から取り出されたときに該商品１０に付されたＲＦＩＤタグ１１の固有番号に基づき該商品１０の商品情報を迅速に表示することができる。従って、利便性を向上させることができるとともに利用者の購買意欲を向上させることができる。また、商品棚２０１上に陳列された商品１０のＲＦＩＤタグの固有番号がリーダライタ２２０により所定時間（１時間）毎に読み出され、読み出されたＲＦＩＤタグ１１の固有番号に基づき商品の在庫が管理されるので、商品棚２０１上の商品の在庫数をＲＦＩＤタグ１１の固有番号に基づき把握することができる。従って、商品１０の在庫管理を正確且つ容易に行うことができ、商品１０の在庫管理に係る運用コストを低減させることができる。
【００３６】
また、商品棚２０１を、前方に向かって下方に傾斜するように形成したので、商品棚２０１の前端側に陳列された商品１０が取り出されたときには、該商品１０の後方に載置された商品１０を前方に移動させることができる。従って、前方に移動した商品１０のＲＦＩＤタグ１１の固有番号を、小型ループアンテナ２１０を介して読み取ることができるので、該商品１０の商品情報を確実に表示させることができる。
【００３７】
さらに、小型ループアンテナ２１０を、それぞれ一つのＲＦＩＤタグ１１と通信可能に複数設けたので、各小型ループアンテナ２１０を介してＲＦＩＤタグ１１と通信を行う場合には、各小型ループアンテナ２１０に対応したアンチコリジョン機能をリーダライタ２２０側に設ける必要がない。従って、ＲＦＩＤタグ１１の固有番号を高速に読み取ることができ、該ＲＦＩＤタグ１１が付された商品１０が商品棚２０１から取り出されたときには、該商品１０の商品情報を迅速に表示させることができる。
【００３８】
さらにまた、ショーケース２００は、所定範囲（例えば１メートル）内の人体の有無を検知する人感センサ２５０を備え、各リーダライタ２２０は、人感センサ２５０によって人体が検知されると、各小型ループアンテナ２１０を介してＲＦＩＤタグ１１と常に通信を行いＲＦＩＤタグ１１の固有番号を読み出すので、例えば利用者がショーケース２００の近傍に存在しないときには各小型ループアンテナ２１０とＲＦＩＤタグ１１の通信を停止させることができ、通信に必要な電力に係るコストを低減させることができる。
【００３９】
なお、上記実施形態は本発明の具体例に過ぎず、本発明が上記実施形態のみに限定されることはない。例えば、上記実施形態では、人感センサ２５０によって人体が検知されることにより各小型ループアンテナ２１０を介してＲＦＩＤタグ１１の固有番号を読み取るようにしたものを示したが、商品棚２０１の前端側に商品１０が存在するか否かを検知する商品検知手段としての重量センサを備え、リーダライタ２２０は、重量センサによって商品１０が検知されると、各小型ループアンテナ２１０を介してＲＦＩＤタグ１１と常に通信を行いＲＦＩＤタグ１１の固有番号を読み出すようにしてもよい。この場合、例えば商品棚２０１上に商品１０が存在しないときには各小型ループアンテナ２１０とＲＦＩＤタグ１１の通信を停止させることができ、通信に必要な電力に係るコストを低減させることができる。
【００４０】
さらに、上記実施形態では、リーダライタ２２０が各ループアンテナ２１０，２１１と通信を行うようにしたものを示したが、小型ループアンテナ２１０用のリーダライタ２２０と大型ループアンテナ用のリーダライタ２２０をそれぞれ設けてもよい。また、一つの小型ループアンテナ２１０につき一つのリーダライタ２２０を接続するようにしてもよい。
【図面の簡単な説明】
【００４１】
【図１】本発明の一実施形態を示す商品管理システムの構成図
【図２】商品棚の斜視図
【図３】商品棚の側面図
【図４】ショーケースの機能ブロック図
【図５】商品リストの一例を示す図
【図６】在庫リストの一例を示す図
【図７】店舗コンピュータの機能ブロック図
【図８】商品管理情報の一例を示す図
【図９】棚在庫情報の一例を示す図
【図１０】ショーケースの動作を示すフロー図
【図１１】店舗コンピュータの動作を示すフロー図
【符号の説明】
【００４２】
１０…商品、１１…ＲＦＩＤタグ、１００…店舗コンピュータ、１１０…制御部、１２０…データベース、２００…ショーケース、２０１…商品棚、２１０…各小型ループアンテナ、２１１…大型ループアンテナ、２２０…リーダライタ、２３２ａ…在庫リスト、２４０…表示装置、２５０…人感センサ。
【図１】
2009057182.tif 000003
【図２】
2009057182.tif 000004
【図３】
2009057182.tif 000005
【図４】
2009057182.tif 000006
【図５】
2009057182.tif 000007
【図６】
2009057182.tif 000008
【図７】
2009057182.tif 000009
【図８】
2009057182.tif 000010
【図９】
2009057182.tif 000011
【図１０】
2009057182.tif 000012
【図１１】
2009057182.tif 000013